(57)【要約】  ハンドル部における滑り止め効果や操作性といった機能を高めると共に、外観の優れた歯ブラシを提供する。ハンドル部２の幅広部２ａと幅狭部２ｂ，２ｃとの間に、長手方向に延在する複数の凹条部７及び凸条部８を幅方向に交互に並べて形成すると共に、これら凹条部７と凸条部８との間隔を幅広部２ａから幅狭部２ａ，２ｂに向かってハンドル部２の幅変化に応じて漸次狭くし、更に、ハンドル部２の凹条部７及び凸条部８が形成された面上を透明な被覆材９が覆う構成とした。これにより、ハンドル部２、並びに凹条部７及び凸条部８の形状、被覆材９の材質や厚み、硬度等については、このハンドル部２における滑り止め効果や操作性といった機能に合わせて最適化しつつ、ハンドル部２の見た目の形状については、視覚効果により外観の優れた特徴あるデザインとすることが可能である。
2008153070.tif 000002
【特許請求の範囲】
【請求項１】
長尺状のハンドル部と、このハンドル部の先端側に設けられたヘッド部とを備え、前記ヘッド部の植毛面に刷毛の毛束が植設されてなる歯ブラシであって、
前記ハンドル部は、その幅が相対的に広くなる幅広部と、その幅が相対的に狭くなる幅狭部とを有し、且つ、前記幅広部から前記幅狭部に向かって、その幅が漸次狭くなる形状を有し、
前記幅広部と前記幅狭部との間には、前記ハンドル部の長手方向に延在する複数の凹条部及び凸条部が設けられ、
前記凹条部と前記凸条部とは、前記ハンドル部の幅方向に交互に並んで形成されると共に、互いの間隔が前記幅広部から前記幅狭部に向かって前記ハンドル部の幅変化に応じて狭くなっており、
更に、前記凹条部及び前記凸条部が形成された面上を可視光に対して透明又は半透明な被覆材が覆っていることを特徴とする歯ブラシ。
【請求項２】
前記凹条部の数が３〜７つであり、前記凹条部と前記凸条部との高低差が０．３〜１．０ｍｍであることを特徴とする請求項１に記載の歯ブラシ。
【請求項３】
前記被覆材の前記凸条部上における厚みが０．５〜３．０ｍｍであることを特徴とする請求項１又は２に記載の歯ブラシ。
【請求項４】
前記被覆材は、軟質エラストマー樹脂からなり、そのゴム硬度が２０〜８０であることを特徴とする請求項１〜３の何れか一項に記載の歯ブラシ。
【請求項５】
前記複数の凹条部と、これら凹条部の間に形成される凸条部とは、前記ハンドル部の周方向において連続した曲面を形成していることを特徴とする請求項１〜４の何れか一項に記載の歯ブラシ。
【請求項６】
前記凹条部及び前記凸条部は、前記ハンドル部の少なくとも一方の面に設けられていることを特徴とする請求項１〜５の何れか一項に記載の歯ブラシ。
【請求項７】
前記凹条部及び前記凸条部は、前記ハンドル部の前記被覆材で被覆される部分のうち、少なくとも７０％以上の領域に亘って設けられていることを特徴とする請求項１〜６の何れか一項に記載の歯ブラシ。
【発明の詳細な説明】
【技術分野】
【０００１】
本発明は、ハンドル部の先端側にヘッド部が設けられ、このヘッド部の植毛面に刷毛の毛束が植設されてなる歯ブラシの改良に関する。
本願は、２００７年６月１４日に、日本に出願された特願2007−157675号に基づき優先権を主張し、その内容をここに援用する。
【背景技術】
【０００２】
歯ブラシは、ブラッシング時の操作性を向上させるため、ハンドル部に凹凸部を設けるなどハンドル部の形状に工夫を凝らしたり、２色成形法などを利用してハンドル部の表面にエラストマーやゴムなどの滑り止め部を設けたりするなど様々な工夫がなされている（例えば、特許文献１〜５を参照）。【０００３】
例えば、特許文献１には、ハンドル把持部で親指が押さえる部分を扁平な断面六角又は八角形とし、ハンドルの長さ方向に平行な溝又はクリスタル模様の突条を設け、且つ前記溝に直交する溝を複数本設けて親指の滑り止めとした歯ブラシが記載されている。また、特許文献２には、柄の把持部に断面積の大きな膨大部を形成し、この膨大部に断面がほぼ円形の中央部の外周面を鋸歯状に切り欠いて滑止め部を形成し、使用時における指先の動きをブラシに確実に伝達できるようにした歯ブラシが記載されている。また、特許文献３には、操作性向上の目的ではないが、使用中に出る泡や液を柄の先端までスムーズに誘導し、手や袖口を濡らしたり汚したりしないで歯磨きができるようにするため、長手方向に溝を柄の部分の周囲全体に設けた歯ブラシが記載されている。【０００４】
一方、特許文献４、５には、ハンドル部に合成ゴムや熱可塑性エラストマーからなる滑止め部を設けて、握ったときの滑りを防止して操作性を向上させた歯ブラシの例として、硬質合成樹脂製の１次ハンドルの握り部の外周部に軟質合成樹脂を射出成形し、握り部の全周面を軟質合成樹脂で覆った歯ブラシハンドルが記載されている。【０００５】
しかしながら、上述した特許文献１や特許文献２に記載される歯ブラシでは、握り部の一部だけに滑止め部を形成しているため、使用時の滑り止め効果が必ずしも充分とは言えなかった。また、滑止め部が突状又は鋸歯状の構造であり、これらの角部に掌や指先が当たることによって痛みを感じることもあった。また、特許文献３に記載される歯ブラシでは、口から出る泡や液の誘導放出のみを考慮したものであり、滑り防止性や操作性が充分とは言えなかった。【０００６】
一方、特許文献４や特許文献５に記載される歯ブラシでは、握り部の全周面が軟質合成樹脂に覆われているため、良好な滑り止め効果が得られるが、毛先が常に磨こうとする歯の歯面に対して適切な角度で当たるようにして歯ブラシを動かさなくてはならない。このため、歯ブラシのハンドル部をその軸心を中心として回転させてその角度を調整することができるよう、操作性について更に改善する必要がある。
【特許文献１】実開昭５６−７７３４３号公報
【特許文献２】実開昭６１−１９９２３２号公報
【特許文献３】実開平５−６０３１９号公報
【特許文献４】特開２００６−２０２号公報
【特許文献５】特開２００２−３４６５９号公報
【発明の開示】
【発明が解決しようとする課題】
【０００７】
ところで、商品差別性の高い歯ブラシを提供するためには、上述したハンドル部における滑り止め効果や操作性といった機能を高めると共に、外観も優れたものとする必要がある。このため、ハンドル部の形状について工夫を凝らす必要があるが、上述した機能をハンドル部に付加した場合には、その機能的な制約によってハンドル部の形状を外観の優れたものとすることができなくなることがあった。【０００８】
本発明は、このような従来の事情に鑑みて提案されたものであり、ハンドル部における滑り止め効果や操作性といった機能を高めると共に、外観の優れた商品差別性の高い歯ブラシを提供することを目的とする。
【課題を解決するための手段】
【０００９】
この目的を達成するために、第１態様の発明は、長尺状のハンドル部と、このハンドル部の先端側に設けられたヘッド部とを備え、前記ヘッド部の植毛面に刷毛の毛束が植設されてなる歯ブラシであって、前記ハンドル部が、その幅が相対的に広くなる幅広部と、その幅が相対的に狭くなる幅狭部とを有し、且つ、前記幅広部から前記幅狭部に向かって、その幅が漸次狭くなる形状を有し、前記幅広部と前記幅狭部との間に、前記ハンドル部の長手方向に延在する複数の凹条部及び凸条部が設けられ、前記凹条部と前記凸条部とは、前記ハンドル部の幅方向に交互に並んで形成されると共に、互いの間隔が前記幅広部から前記幅狭部に向かって前記ハンドル部の幅変化に応じて狭くなっており、更に、前記凹条部及び前記凸条部が形成された面上を可視光に対して透明又は半透明な被覆材が覆っていることを特徴とする歯ブラシである。【００１０】
また、第２態様の発明は、前記凹条部の数が３〜７つであり、前記凹条部と前記凸条部との高低差が０．３〜１．０ｍｍであることを特徴とする第１態様の歯ブラシである。【００１１】
また、第３態様の発明は、前記被覆材の前記凸条部上における厚みが０．５〜３ｍｍであることを特徴とする第１又は第２態様の歯ブラシである。【００１２】
また、第４態様の発明は、前記被覆材が、軟質エラストマー樹脂からなり、そのゴム硬度が２０〜８０であることを特徴とする第１〜３態様の何れかの歯ブラシである。【００１３】
また、第５態様の発明は、前記複数の凹条部と、これら凹条部の間に形成される凸条部とが、前記ハンドル部の周方向において連続した曲面を形成していることを特徴とする第１〜４態様の何れかの歯ブラシである。【００１４】
また、第６態様の発明は、前記凹条部及び前記凸条部が、前記ハンドル部の少なくとも一方の面に設けられていることを特徴とする第１〜５態様の何れかの歯ブラシである。【００１５】
また、第７態様の発明は、前記凹条部及び前記凸条部が、前記ハンドル部の前記被覆材で被覆される部分のうち、少なくとも７０％以上の領域に亘って設けられていることを特徴とする第１〜６態様の何れかの歯ブラシである。
【発明の効果】
【００１６】
以上のように、本発明に係る歯ブラシでは、幅広部から幅狭部に向かって漸次幅が狭くなる形状を有するハンドル部の幅広部と幅狭部との間に、このハンドル部の長手方向に延在する複数の凹条部及び凸条部を幅方向に交互に並べて形成すると共に、これら凹条部と凸条部との間隔を幅広部から幅狭部に向かってハンドル部の幅変化に応じて漸次狭くすることによって、ハンドル部の見た目上の幅変化を実際よりも強調したものとし、幅広部をより幅広に、幅狭部をより幅狭に見せることができる。【００１７】
さらに、本発明に係る歯ブラシでは、ハンドル部の凹条部及び凸条部が形成された面上を透明又は半透明な被覆材が覆うことによって、凹条部及び凸条部が透けて見えるようにし、被覆材の表面で反射する光と、被覆材を通過して凹条部又は凸条部の表面で反射する光との反射の違いによる視覚効果を利用して、凹条部と凸条部との見た目上の高低差を実際よりも強調したものとし、凹条部をより深く、凸条部をより高く見せることができる。【００１８】
したがって、本発明に係る歯ブラシでは、ハンドル部、並びに凹条部及び凸条部の形状、被覆材の材質や厚み、硬度等については、このハンドル部における滑り止め効果や操作性といった機能に合わせて最適化しつつ、ハンドル部の見た目の形状については、上述した視覚効果によって外観の優れた特徴あるデザインとすることが可能である。
【図面の簡単な説明】
【００１９】
【図１】図１は、本発明を適用した歯ブラシの一例を示す平面図である。
【図２】図２は、図１中に示す歯ブラシの線分ａ−ａ’による断面図である。
【図３】図３は、図１中に示す歯ブラシを反対側から見た平面図である。
【図４】図４は、図１中に示す歯ブラシの側面図である。
【図５】図５は、図１中に示す歯ブラシの断面図である。
【図６Ａ】図６Ａは、本発明を適用した歯ブラシのハンドル部の形状を示し、その平面図である。
【図６Ｂ】図６Ｂは、本発明を適用した歯ブラシのハンドル部の形状を示し、その断面図である。
【図７Ａ】図７Ａは、比較対象となる歯ブラシのハンドル部を示し、その平面図である。
【図７Ｂ】図７Ｂは、比較対象となる歯ブラシのハンドル部を示し、その断面図である。
【図８Ａ】図８Ａは、比較対象となる歯ブラシのハンドル部を示し、その平面図である
【図８Ｂ】図８Ｂは、比較対象となる歯ブラシのハンドル部を示し、その断面図である。
【図９Ａ】図９Ａは、比較対象となる歯ブラシのハンドル部を示し、その平面図である。
【図９Ｂ】図９Ｂは、比較対象となる歯ブラシのハンドル部を示し、その断面図である。
【符号の説明】
【００２０】
１  歯ブラシ
２  ハンドル部
３  ヘッド部
３ａ  植毛面
４  ネック部
５  植毛穴
６  ストッパー部
７  凹条部
８  凸条部
９  被覆材
９ａ  先細部
【発明を実施するための最良の形態】
【００２１】
以下、本発明を適用した歯ブラシについて、図面を参照して詳細に説明する。
本発明を適用した歯ブラシ１は、図１〜図５に示すように、全体が長尺状を為すブラシ本体１Ａを備え、このブラシ本体１Ａは、長尺状のハンドル部２と、このハンドル部２の先端側に設けられたヘッド部３と、ハンドル部２とヘッド部３との間に設けられたネック部４とを有して構成されている。【００２２】
ブラシ本体１Ａは、ハンドル部２と、これに連なるネック部４と、これに連なるヘッド部３とが、例えば硬質樹脂材料により一体成形されたものからなる。また、ヘッド部３の一面（植毛面という。）３ａには、刷毛の毛束Ｂを植設するための複数の植毛穴５が設けられている。【００２３】
ブラシ本体１Ａに使用される硬質樹脂材料としては、例えば、ポリプロピレン、ポリエチレン、ポリエチレンテレフタレート、ポリシクロヘキシレンジメチレンテレフタレート、飽和ポリエステル樹脂、ポリメタクリル酸メチル、プロピオン酸セルロース、ポリウレタン、ポリアミド、ＡＢＳ（アクロルニトリル・ブタジエン・スチレン）などの熱可塑性樹脂材料を挙げることができるが、これらの材料に必ずしも限定されるものではない。【００２４】
ヘッド部３は、口腔内を清掃しやすい形状や大きさであればよく、その形状について特に限定されるものではない。ネック部４は、ハンドル部２とヘッド部３との間を連結する部分であるが、ハンドル部２及びヘッド部３と必ずしも明確に区別される部分ではないため、場合によってはハンドル部２とネック部４との区別がないものもある。したがって、ブラシ本体１Ａは、ハンドル部２の先端にヘッド部４が直接設けられた形状のものであってもよい。【００２５】
毛束Ｂは、例えば、複数本の刷毛（フィラメント）を束ねて二つ折りにし、その間に平線と呼ばれる金属製の抜止め具を挟んで植毛穴５に打ち込むことによって植設される。なお、図１及び図５では、毛束Ｂの図示を省略し、植毛穴５のみを図示している。【００２６】
なお、ヘッド部３の植毛面３ａには、通常はヘッド部３の長さ方向や幅方向において、円形の植毛穴５が格子状や千鳥状に所定の間隔で複数並んで配置されるが、植毛穴５の配置や間隔、それらの組み合わせ等については、特に限定されるものではなく、歯ブラシ１の目的用途に応じて任意に設定することができる。【００２７】
また、毛束Ｂは、通常は複数本の刷毛を略円形状に束ねたものを用いるが、このような略円形状に束ねたものに限らず、略三角形や略四角形などの略多角形状に束ねてもよく、さらに、略楕円状や、略長円状、略長方形状、略多角形状など長径と短径が異なる形状に束ねたものを用いてもよい。【００２８】
毛束Ｂの植毛方法としては、上述した刷毛の毛束Ｂを二つ折りにし、その間に平線を挟んで植毛穴５に固定する平線植毛法以外にも、毛束Ｂの下端をヘッド部３となる溶融樹脂中に圧入して固定する熱融着法や、毛束Ｂの下端を加熱して溶融塊を形成した後に、金型のキャビティ内に溶融樹脂を充填してヘッド部３と一体に成形するインモールド法などを用いることができる。【００２９】
刷毛は、その材質について特に限定されないものの、例えば、ポリアミド（例：６−１２ナイロン、６−１０ナイロン）、ポリエステル（例：ポリエチレンテレフタレート、ポリブチレンテレフタレート、ポリトリメチレンテレフタレート）、ポリオレフィン（例：ポリプロピレン）、エラストマー（例：オレフィン系、スチレン系）などの合成樹脂材料を挙げることができる。また、これらの樹脂材料を複数組み合わせて用いてもよく、例えば芯鞘構造などのように、芯部と鞘部で異なる樹脂材料を用いることもできる。
刷毛の縦断面形状は、通常は円形であるが、そのような形状に限定されるものではなく、例えば、楕円形、三角形、四角形、六角形、星形、三つ葉のクローバー形、四つ葉のクローバー形など歯ブラシ１の目的用途に応じて任意の形状とすることができる。
また、刷毛の毛先形状については、毛先を丸めたもの、毛先に向かうに従って徐々に外径が細くなるテーパー状のもの、さらに、ヘラ状、球状、先割れ状など歯ブラシ１の目的用途に応じて任意の形状とすることができる。
刷毛の毛丈は、ヘッド部３の植毛面３ａから、大人用で８ｍｍ〜１３ｍｍ、子供用で６ｍｍ〜９ｍｍとすることが好ましい。刷毛の太さ（最大径）は、口腔内の使用性や使用感の点から、０．１２ｍｍ〜０．２６ｍｍであることが好ましい。また、使用感や、刷掃感、清掃効果、耐久性など考慮して、太さの異なる複数本の刷毛を任意に組み合わせて用いてもよい。【００３０】
ところで、本発明を適用した歯ブラシ１では、ハンドル部２における滑り止め効果や操作性といった機能を高めると共に、外観を優れた特徴あるデザインものとするため、ハンドル部２が以下の形態を有している。【００３１】
具体的に、ハンドル部２は、図１及び図３に示すように、そのほぼ中央に位置する幅広部２ａから、その長手方向の両側に位置する幅狭部２ｂ，２ｃに向かって、漸次幅が狭くなる形状を有している。すなわち、幅広部２ａは、その幅が相対的に広くなる部分であり、幅狭部２ｂ，２ｃは、その幅が相対的に狭くなる部分であり、ハンドル部２は、これら幅広部２ａと幅狭部２ｂ，２ｃとの間で、その幅が連続的に変化した形状を有している。
また、ハンドル部２の幅は、９〜１７ｍｍの範囲で変化していることが好ましく、この範囲であれば、握り易さや操作性、部材の強度などを充分に確保することができる。【００３２】
また、ハンドル部２は、図４及び図５に示すように、幅広部２ａから幅狭部２ｂ，２ｃに向かって、その厚みが漸次薄くなる形状を有している。すなわち、このハンドル部２は、ほぼ中央部において、その厚みが相対的に厚くなる肉厚部２ｄと、長手方向の両側において、その厚みが相対的に薄くなる肉薄部２ｅ，２ｆとを有し、且つ、肉厚部２ｄから肉薄部２ｅ，２ｆに向かって、その厚みが漸次薄くなる形状を有している。また、ハンドル部２の厚みは、６〜１５ｍｍの範囲で変化していることが好ましく、この範囲であれば、握り易さや操作性、部材の強度などを充分に確保することができる。【００３３】
また、ハンドル部２の後端部は丸みを帯びている。さらに、ハンドル部２の先端部には、ストッパー部６が設けられている。このストッパー部６は、使用者がハンドル部２を把持した際の指係りを良くするための部分であり、ハンドル部２の両面において肉薄部２ｅよりも厚みが厚くなっている。【００３４】
幅広部２ａと幅狭部２ｂ，２ｃとの間には、図１、図２及び図３に示すように、ハンドル部２の長手方向に延在する複数の凹条部７及び凸条部８が設けられている。具体的に、これら複数の凹条部７及び凸条部８は、ハンドル部２における滑り止め効果や操作性といった機能を高めるためものであり、ハンドル部２の両面に設けられている。また、凹条部７と凸条部８とは、ハンドル部２の幅方向に交互に並んで形成されると共に、互いの間隔が幅広部２ａから幅狭部２ｂ，２ｃに向かってハンドル部２の幅変化に応じて狭くなっている。さらに、ハンドル部２の厚み変化に応じて、凹条部７は、幅広部２ａから幅狭部２ｂ，２ｃに向かって、その深さが漸次浅くなっており、凸条部８は、幅広部２ａから幅狭部２ｂ，２ｃに向かって、その高さが漸次低くなっている。また、図２に示すように、複数の凹条部７と、これら凹条部７の間に形成される複数の凸条部８とは、ハンドル部２の周方向において凹凸を繰り返しながら、連続した曲面を形成している。【００３５】
ハンドル部２では、図１〜図５に示すように、上述した凹条部７及び凸条部８が形成された面上を可視光に対して透明又は半透明な被覆材９が覆っている。具体的に、この被覆材９は、上述した凹条部７及び凸条部８と共に、ハンドル部２における滑り止め効果や操作性といった機能を高めるためものであり、凹条部７及び凸条部８が形成されたブラシ本体１Ａの芯部１Ｂに被着されている。【００３６】
芯部１Ｂは、被覆材９が被覆される部分として、ハンドル部２の後端部からストッパー部６までの間に亘って設けられている。そして、被覆材９は、この芯部１Ｂの全周面を覆うことによって、ブラシ本体１Ａの露出した面と連続した面を形成しており、この被覆材９を含むハンドル部２の断面形状は、図２に示すように楕円となっている。【００３７】
被覆材９は、図１〜図５に示すように、例えば２色成形法によってブラシ本体１Ａの芯部１Ｂと一体に形成されている。被覆材９は、凹条部７及び凸条部８が透けて見えるように、可視光に対して透明又は半透明な樹脂からなる。また、被覆材９には、滑り止め効果と握り易さ（フィット感）を得るため、軟質エラストマー樹脂を用いることが好ましく、このような軟質エラストマー樹脂としては、例えば、スチレン系エラストマー樹脂、オレフィン系エラストマー樹脂、ポリエステル系エラストマー樹脂などを挙げることができる。具体的には、スチレン系エラストマー樹脂として、例えば、ドイツ・クライブルグ社製のサーモライト（商品名）、三菱化学社製のラバロン（商品名）、クラレ社製のセプトン（商品名）、理研ビニル社製のレオストマー（商品名）、旭化成社製のタフテック（商品名）などを用いることができる。また、オレフィン系エラストマー樹脂として、例えば、三井化学社製のミラストマー（商品名）などを用いることができる。また、ポリエステル系エラストマー樹脂として、例えば三菱化学社製のプリマロイ（商品名）などを用いることができる。【００３８】
また、軟質エラストマー樹脂のゴム硬度は、適度な滑り止め効果と握り易さ（フィット感）を得るため、２０〜８０の範囲とすることが好ましく、２０〜４０の範囲が特に好ましい。このゴム硬度が２０未満になると、柔らか過ぎてハンドル部２を把持した際にベタツキ感が強くなり、汚れもつき易くなる。また、芯部１Ｂとの接着性が悪くなり、剥離等が生じ易くなる。一方、このゴム硬度が８０を超えると、硬くなり過ぎてハンドル部２を把持した際に良好なフィット感が得られなくなる。したがって、ゴム硬度は、２０〜８０の範囲が好ましい。【００３９】
また、図２に示す被覆材９の凸条部８上における厚みＳは、ハンドル部２を把持した際に被覆材９を通じて凸条部８の感触が伝わるように、０．５〜３．０ｍｍとすることが好ましく、０．５〜２．０ｍｍが特に好ましい。この厚みが０．５ｍｍ未満になると、成形時に樹脂の流れが悪くなり、芯部１Ｂの全周面を覆うことが困難となる。一方、この厚みが３．０ｍｍを超えると、厚くなり過ぎて凸条部８の感触が伝わりにくくなる。したがって、被覆材９の凸条部８上における厚みは、０．５〜３．０ｍｍが好ましい。
なお、被覆材９の厚みは、凹条部７と凸条部８との間で変化しているが、被覆材９の厚みが最小となる部分において０．５〜３．０ｍｍの厚みがあれば、上述した効果を得ることが可能である。
また、被覆材９の表面には、シボ加工等を施してもよい。このようなシボ加工を施すことによって、エラストマー樹脂特有のベタツキ感を抑制することができ、把持し易く、フィット感に優れた感触を得ることができる。また、被覆材９の表面で反射する光と、被覆材９を通過して凹条部７又は凸条部８の表面で反射する光との反射の違いによる視覚効果に変化を持たせることもできる。【００４０】
また、歯ブラシ１では、ハンドル部２を把持した際に被覆材９を通じて凸条部８の感触が伝わることによって、ハンドル部２を軸回りに回転させたときに、その角度調整を容易に行うことができる。すなわち、この歯ブラシ１では、凸条部８の感触が伝わることによって、毛束Ｂの毛先が常に磨こうとする歯の歯面に対して適切な角度で当たるように、ハンドル部２の操作性を向上させることができる。【００４１】
具体的に、このような効果を得るためには、凹条部７の数は、３〜７つ（片面）とすることが好ましく、４〜６つが、特に好ましい。凹条部７の数が３つ未満になると、その間に形成される凸条部８との間隔が広くなり過ぎて、その効果を十分に得ることができず、一方、凹条部７の数が７つを超えると、その間に形成される凸条部８との間隔が狭くなり過ぎて、凸条部８の感触が伝わりにくくなる。したがって、凹条部７の数は、３〜７つ（片面）とすることが好ましい。また、この範囲であれば、上述したハンドル部２の形状による視覚効果も充分に得ることができる。【００４２】
なお、凸条部８の数については、特に限定しないものの、凹条部７と交互に並んで形成された場合、基本的には凹条部７と同じ数となるが、ハンドル部２の片面だけ見れば、場合によって凹条部７の数よりも１つ少なく見えたり（凹条部７の間に凸条部８がある場合）、凹条部７の数よりも１つ多く見えたり（凸条部８の間に凹条部７がある場合）することもある。【００４３】
また、凹条部７と凸条部８との間隔については、０．５〜３．０ｍｍの範囲とすることが好ましく、この範囲であれば、ハンドル部２における滑り止め効果や操作性といった機能を高めると共に、ハンドル部２の外観を優れた特徴あるデザインとすることができる。【００４４】
また、図２に示す凹条部７と凸条部８との高低差Ｄは、０．３〜１．０ｍｍとすることが好ましく、０．３〜０．５ｍｍが特に好ましい。凹条部７と凸条部８との高低差Ｄが０．３ｍｍ未満になると、凸条部８の感触が伝わりにくくなる。一方、凹条部７と凸条部８との高低差Ｄが１．０ｍｍを超えると、被覆材９を成形する際に気泡が入り易くなる。したがって、凹条部７と凸条部８との高低差Ｄは、０．３〜１．０ｍｍとすることが好ましい。
なお、凹条部７と凸条部８との高低差Ｄは、上述した肉厚部２ｄと肉薄部２ｅ，２ｆとの間で変化しているが、０．３〜１．０ｍｍの範囲であれば、上述した効果を得ることが可能である。また、凹条部７と凸条部８との高低差Ｄは、凹条部７の場合は凹条部７の深さを、凸条部８の場合は凸条部８の高さを意味する。【００４５】
さらに、凹条部７及び凸条部８は、ハンドル部２の被覆材９で被覆された芯部１Ｂのうち、少なくとも７０％以上の領域に亘って設けられていることが好ましく、さらに、芯部１Ｂの全長に亘って設けた場合には、例えばパームグリップやペングリップといった握り方をした場合でも、凸条部８が形成された部分を確実に把持することができる。【００４６】
以上のような構造を有する歯ブラシ１では、ハンドル部２における適度な滑り止め効果と握り易さ（フィット感）を得ることができる。また、ハンドル部２を把持した際に、被覆材９を通じて凸条部８の感触が伝わるため、角度調整が容易となり、毛束Ｂの毛先が常に磨こうとする歯の歯面に対して適切な角度で当たるように、ハンドル部２の操作性を向上させることができる。【００４７】
また、本発明を適用した歯ブラシ１では、ハンドル部２の幅広部２ａと幅狭部２ｂ，２ｃとの間に、このハンドル部２の長手方向に延在する複数の凹条部７及び凸条部８を幅方向に交互に並べて形成すると共に、これら凹条部７と凸条部８との間隔を幅広部２ａから幅狭部２ｂ，２ｃに向かってハンドル部２の幅変化に応じて漸次狭くすることによって、ハンドル部２の見た目上の幅変化を実際よりも強調したものとし、幅広部２ａをより幅広に、幅狭部２ｂ，２ｃをより幅狭に見せることができる。また、被覆材９の先端側には、その先端に向かって細くなる先細部９が設けられている。このような先細部９ａを設けることによって、ハンドル部２の先端側を更に細く見せることができる。【００４８】
さらに、本発明を適用した歯ブラシ１では、ハンドル部２の凹条部７及び凸条部８が形成された面上を透明又は半透明な被覆材９が覆うことによって、凹条部７及び凸条部８が透けて見えるようにし、被覆材９の表面で反射する光と、被覆材９を通過して凹条部７又は凸条部８の表面で反射する光との反射の違いによる視覚効果を利用して、凹条部７と凸条部８との見た目上の高低差を実際よりも強調したものとし、凹条部７をより深く、凸条部８をより高く見せることができる。【００４９】
したがって、本発明を適用した歯ブラシ１では、ハンドル部２、並びに凹条部７及び凸条部８の形状、被覆材９の材質や厚み、硬度等については、このハンドル部２における滑り止め効果や操作性といった機能に合わせて最適化しつつ、ハンドル部２の見た目の形状については、上述した視覚効果によって外観の優れた特徴あるデザインとすることが可能である。
以上のように、本発明を適用した歯ブラシ１では、ハンドル部２における滑り止め効果や操作性といった機能を高めつつ、外観を優れたものとすることによって、その商品差別性を高めることが可能である。【００５０】
なお、本発明を適用した歯ブラシ１は、上記実施形態のものに必ずしも限定されるものではなく、本発明の趣旨を逸脱しない範囲において種々の変更を加えることが可能である。例えば、上記ハンドル部２の形状については、上述した形状に限らず、その幅が相対的に広くなる幅広部から、その幅が相対的に狭くなる幅狭部に向かって漸次幅が狭くなるものであればよく、ハンドル部２の先端側から後端側に向かって漸次幅が狭くなるものや、このような形状をハンドル部２の一部に設けたものであってもよい。
また、上記凹条部７及び凸条部８の凹凸形状については、上述した凹凸形状に限らず、その底部又は頂部が尖ったものや、角張ったものであってもよい。
さらに、上記凹条部７及び凸条部８は、上述したハンドル部２の両面に設けられた構成に限らず、ハンドル部２の上記植毛面３ａと対向する側の面のみに設けられた構成や、ハンドル部２の上記植毛面３ａと対向する側とは反対側の面のみに設けられた構成であってもよい。なお、店頭で販売する際は、上記植毛面３ａ側を表側に向けることが多いため、上記凹条部７及び凸条部８は、少なくとも上記ハンドル部２の植毛面３ａと対向する側の面に設けられていることが望ましい。【００５１】
また、上記歯ブラシ１では、例えば商品名やロゴマーク等を表示するための表示凸部を芯部１Ｂに設けて、この表示凸部の先端を芯部１Ｂに被着された被覆材９から露出させることによって、外観に優れた表示を行うことも可能である。
【実施例】
【００５２】
以下、実施例により本発明の効果をより明らかなものとする。なお、本発明は、以下の実施例に限定されるものではなく、その要旨を変更しない範囲で適宜変更して実施することができる。【００５３】
先ず、本実施例では、上記歯ブラシ１のハンドル部２の形状による視覚効果について、図６〜図９に示す比較実験を行った。なお、以下の説明では、上記歯ブラシ１と同等の部位については、説明を省略すると共に、図面において同じ符号を付すものとする。【００５４】
図６に示す歯ブラシは、上記歯ブラシ１と同様の構成、すなわち、ハンドル部２の幅広部と幅狭部との間に、長手方向に延在する凹条部７及び凸条部８を幅方向に交互に並べて形成すると共に、これら凹条部７と凸条部８との間隔を幅広部から幅狭部に向かってハンドル部２の幅変化に応じて漸次狭くし、更に、ハンドル部２の凹条部７及び凸条部８が形成された面上を透明な被覆材９が覆うと共に、その先端に向かって細くなる先細部９ａを設けた構成である。
一方、図７に示す歯ブラシは、凹条部７と凸条部８との間隔を幅広部と幅狭部との間で一定間隔とし、被覆材９の先端に先細部９ａを設けなかった以外は、図６に示す歯ブラシと同様の構成である。
一方、図８に示す歯ブラシは、ハンドル部２の幅広部と幅狭部との間に凹条部７及び凸条部８を設けなかった以外は、図７に示す歯ブラシと同様の構成である。
一方、図９に示す歯ブラシは、被覆材９で被覆された芯部１Ｂを設けなかった以外は、図８に示す歯ブラシと同様の構成である。【００５５】
図６に示す歯ブラシでは、ハンドル部２の幅広部と幅狭部との間に、長手方向に延在する凹条部７及び凸条部８を幅方向に交互に並べて形成すると共に、これら凹条部７と凸条部８との間隔を幅広部から幅狭部に向かってハンドル部２の幅変化に応じて漸次狭くすることによって、ハンドル部２の見た目上の幅変化を実際よりも強調したものとし、幅広部２ａをより幅広に、幅狭部２ｂ，２ｃをより幅狭に見せることができる。また、図６に示す歯ブラシでは、ハンドル部２の凹条部７及び凸条部８が形成された面上を透明な被覆材９が覆うことによって、凹条部７と凸条部８との見た目上の高低差を実際よりも強調したものとし、凹条部７をより深く、凸条部８をより高く見せることができる。さらに、被覆材９の先端に先細部９を設けることによって、ハンドル部２の先端側をより細く見せることができる。【００５６】
一方、図７に示す歯ブラシでは、凹条部７と凸条部８との間隔を一定間隔としているため、幅狭部において図６に示す歯ブラシよりも幅広に見えてしまう。また、図８に示す歯ブラシのように、ハンドル部２の幅広部と幅狭部との間に凹条部７及び凸条部８を設けなかった場合には、上述したハンドル部２の操作性向上の効果が得られず、芯部１Ｂを被覆材９で覆っただけでは、幅広部をより幅広に、幅狭部をより幅狭に見せるといった視覚効果も得られない。さらに、図９に示す歯ブラシのように、被覆材９で被覆された芯部１Ｂを設けなかった場合には、上述したハンドル部２における滑り止め効果も得られず、ハンドル部２の外観も特徴あるものとはならない。【００５７】
以上のように、本発明を適用した図６に示す歯ブラシでは、ハンドル部２の形状を上述した視覚効果によってボリューム感がありながら、すっきりとしたスリムな形状とすることができる。また、透明な被覆材９で被覆されたハンドル部２では、凹条部７に対して凸条部８をより立体的に浮き上がらせて見せることができる。
さらに、図６に示す歯ブラシでは、ハンドル部２における適度な滑り止め効果と握り易さ（フィット感）を得ることができ、また、ハンドル部２を把持した際に、被覆材９を通じて凸条部８の感触が伝わるため、角度調整が容易となり、毛束Ｂの毛先が常に磨こうとする歯の歯面に対して適切な角度で当たるように、ハンドル部２の操作性を向上させることができる。
したがって、本発明によれば、上述した機能とデザインとの両立を図ることによって、商品差別性の高い歯ブラシを提供することが可能である。【００５８】
次に、本実施例では、凹条部の数（溝の本数）、凹条部と凸条部との高低差（溝の深さ）、被覆材の凸条部上における厚み（エラストマーの厚み）についての検討を行った。【００５９】
【表１】
2008153070.tif 000003
【００６０】
先ず、表１に示すように、溝の本数［本／片側］、溝の深さ［ｍｍ］、エラストマーの厚み［ｍｍ］の異なるＮｏ．１〜１２の歯ブラシを作製した。具体的に、Ｎｏ．１〜１２の歯ブラシは、ブラシ本体にポリプロピレン樹脂（住友化学社製、ＷＰ６３８Ｃ）を用い、この樹脂を１次金型で射出成形することによってブラシ本体を作製した。さらに、Ｎｏ．３〜１２の歯ブラシは、被覆材にスチレン系のエラストマー（クラレ社製、セプトン（商品名）ＫＣ３４２Ｄ、ゴム硬度２０）を用い、このエラストマーをブラシ本体が設置された２次金型で射出成形することによって、芯部に被覆材が被着されたブラシ本体を作製した。ブラシ本体を作製した後は、６−１０ナイロン（東レ社製）からなる刷毛の毛束を二つ折りにし、その間に平線を挟んでヘッド部の植毛穴に植設することによって、Ｎｏ．１〜１２の歯ブラシを得た。【００６１】
【表２】
2008153070.tif 000004
【００６２】
表２は、Ｎｏ．１の歯ブラシ（溝あり／被覆材あり）と、Ｎｏ．２の歯ブラシ（溝なし／被覆材なし）と、Ｎｏ．３の歯ブラシ（溝あり／被覆材なし）について、外観性、滑り止め効果、及びこれらの総合評価を示したものである。
なお、外観性については、１０人のパネラーのうち、○は、６人以上が外観に優れると評価したもの、△は、３〜５人が外観に優れると評価したもの、×は、２人以下が外観に優れると評価したものである。
滑り止め効果については、１０人のパネラーにパームグリップで実際に歯磨きをしてもらい、そのうち、○は、６人以上が滑りにくいと評価したもの、△は、３〜５人が滑りにくいと評価したもの、×は、２人以下が滑りにくいと評価したものである。
表２に示すように、Ｎｏ．１の歯ブラシは、Ｎｏ．２，３の歯ブラシよりも外観に優れると共に、良好な滑り止め効果が得られるとの評価を得た。
Ｎ０．３の歯ブラシはハンドル部の幅方向に対する滑り止め効果は得られるが、長手方向に対してはやや効果が得られなかった傾向にあった。【００６３】
【表３】
2008153070.tif 000005
【００６４】
表３は、Ｎｏ．１，４，５，６の歯ブラシについて、溝の本数に対する操作性を評価したものである。
なお、Ｎｏ．１，４，５，６の歯ブラシは、溝の深さを０．５ｍｍ、エラストマーの厚みを１ｍｍに固定して、溝の本数のみを変更したものである。
操作性については、１０人のパネラーにパームグリップで実際に歯磨きをしてもらい、そのうち、○は、６人以上が操作性に優れると評価したもの、△は、３〜５人が操作性に優れると評価したもの、×は、２人以下が操作性に優れると評価したものである。
表３に示すように、溝の本数が３〜７本／片側の範囲にあるＮｏ．５，１の歯ブラシは、Ｎｏ．４，６の歯ブラシよりも良好な操作性が得られるとの評価を得た。
Ｎ０．４歯ブラシは溝の本数が少ないために、また逆にＮｏ．６の歯ブラシは溝の本数がやや多いために手指による溝の感触が十分に得られなかったためと考えられる。【００６５】
【表４】
2008153070.tif 000006
【００６６】
表４は、Ｎｏ．７，８，１，９の歯ブラシについて、溝の深さに対する操作性及び外観性を評価したものである。
なお、Ｎｏ．７，８，１，９の歯ブラシは、溝の本数を６本／片側、エラストマーの厚みを１ｍｍに固定して、溝の深さのみを変更したものである。
操作性については、１０人のパネラーにパームグリップで実際に歯磨きをしてもらい、そのうち、○は、６人以上が操作性に優れると評価したもの、△は、３〜５人が操作性に優れると評価したもの、×は、２人以下が操作性に優れると評価したものである。
外観性については、１０人のパネラーのうち、○は、６人以上が外観に優れると評価したもの、△は、３〜５人が外観に優れると評価したもの、×は、２人以下が外観に優れると評価したものである。
表４に示すように、溝の深さが０．３〜１．０ｍｍの範囲にあるＮｏ．８，１の歯ブラシは、Ｎｏ．７，９の歯ブラシよりも良好な操作性及び外観性が得られるとの評価を得た。【００６７】
【表５】
2008153070.tif 000007
【００６８】
表５は、Ｎｏ．１０，１，１１，１２の歯ブラシについて、エラストマーの厚みに対する操作性を評価したものである。
なお、Ｎｏ．１０，１，１１，１２の歯ブラシは、溝の本数を６本／片側、溝の深さを０．５ｍｍに固定して、エラストマーの厚みのみを変更したものである。Ｎｏ．１１’は被覆材にエラストマー材質をスチレン系エラストマー（クラレ社製、セプトン（商品名）ＪＧ１５ＮＳＴ−０１、ゴム硬度４０）を用いたものである。
操作性については、１０人のパネラーにパームグリップで実際に歯磨きをしてもらい、そのうち、○は、６人以上が操作性に優れると評価したもの、△は、３〜５人が操作性に優れると評価したもの、×は、２人以下が操作性に優れると評価したものである。
表５に示すように、エラストマーの厚みが０．５〜３．０ｍｍの範囲にあるＮｏ．１０，１，１１の歯ブラシは、Ｎｏ．１２の歯ブラシよりも良好な操作性が得られるとの評価を得た。また、Ｎｏ．１１と被覆材の硬度が異なるＮｏ．１１’の歯ブラシも、同様に良好な操作性が得られることが判明した。
【産業上の利用可能性】
【００６９】
本発明は、上述した歯ブラシのような口腔用のブラシに限らず、例えば毛髪用のブラシなどのように、ハンドル部の先端側にヘッド部が設けられ、このヘッド部の植毛面に刷毛の毛束が植設されてなるブラシに対して幅広く適用することが可能である。
【図１】
2008153070.tif 000008
【図２】
2008153070.tif 000009
【図３】
2008153070.tif 000010
【図４】
2008153070.tif 000011
【図５】
2008153070.tif 000012
【図６Ａ】
2008153070.tif 000013
【図６Ｂ】
2008153070.tif 000014
【図７Ａ】
2008153070.tif 000015
【図７Ｂ】
2008153070.tif 000016
【図８Ａ】
2008153070.tif 000017
【図８Ｂ】
2008153070.tif 000018
【図９Ａ】
2008153070.tif 000019
【図９Ｂ】
2008153070.tif 000020
【国際調査報告】
2008153070.tif 000021
2008153070.tif 000022
2008153070.tif 000023
2008153070.tif 000024